(57)【要約】【課題】  着信許可アドレスをサーバ側に登録し、登録していないメールを着信させないようにすることで着信拒否を実現していた場合に、送信側ユーザがメールアドレスを変更したとしても、変更後のメールアドレスから着信許可を行っているユーザに対してメールを送信できるようにした着信許可アドレス変更システムを得る。【解決手段】  第二の通信端末装置が新メールアドレスに変更された後の、当該新メールアドレスから第一の通信端末装置へのメール受信、及び上記第二の通信端末装置からのメールアドレス変更情報の取得によって、記憶部の着信許可アドレスを当該新メールアドレスに書き換える処理を実行するようにした。【選択図】          図４
2008042530.tif 000002
【特許請求の範囲】
【請求項１】
メールを送受信する機能を有する複数の通信端末装置と、
上記通信端末装置とメールを送受信する機能を有するサーバとを設けた着信許可アドレス変更システムであって、
上記サーバは、
第一の上記通信端末装置へのメール送信を許可する第二の上記通信端末装置のメールアドレスを着信許可アドレスとして記憶する記憶部、
及びこの記憶部に記憶している上記着信許可アドレスから上記第一の通信端末装置へのメールを受信したときに該第一の通信端末装置へメールを転送し、該記憶部に記憶している着信許可アドレス以外のメールアドレスから上記第一の通信端末装置へのメールを受信したときに該第一の通信端末装置へメールを転送しないよう制御する制御部を備え、
この制御部は、上記第二の通信端末装置が新メールアドレスに変更された後の、当該新メールアドレスから上記第一の通信端末装置へのメール受信、及び上記第二の通信端末装置からのメールアドレス変更情報の取得によって、上記記憶部の着信許可アドレスを当該新メールアドレスに書き換える処理を実行する
ことを特徴とする着信許可アドレス変更システム。
【請求項２】
メールアドレス変更情報は、第二の通信端末装置の、変更前後のメールアドレス及び識別情報であることを特徴とする請求項１記載の着信許可アドレス変更システム。
【発明の詳細な説明】
【技術分野】
【０００１】
この発明は、メール送受信の可能な通信端末装置及び該通信端末装置へのメール着信許可を制御するサーバを有する着信許可アドレス変更システムに関する。
【背景技術】
【０００２】
近年、メールの普及に伴い、迷惑メールなどが無作為に送られてくることが社会的な問題となっている。そこで、迷惑メールの受信を防ぐために、自分の知っているメールアドレスからの着信のみを許可するサービスがキャリアによって提供されている。具体的には、メールの着信許可を管理するためのサーバが設けられており、着信側ユーザが事前に、自分の所有している通信端末装置からインターネットなどを利用してサーバに接続し、所有している通信端末装置へのメール着信を許可する相手のメールアドレスを登録しておく。サーバでは、着信側ユーザ宛てのメールを受信したときに、受信したメールのメールアドレスが送信側ユーザの登録したメール着信を許可する相手のメールアドレスと一致するか否かを判断し、一致すれば着信を許可するメールアドレスからのメールであるとして、着信側ユーザの通信端末装置に対して受信したメールを転送する。一致しなければ受信したメールのアドレスが着信を許可するメールアドレスでないとして、着信側ユーザの通信端末装置に対して受信したメールを転送せずに、送信側ユーザの通信端末装置に送信できなかった旨を通知するエラーメールを送信する。
【０００３】
しかし、サーバに登録されたメールアドレスは、着信許可を登録した着信側ユーザしか変更することができないので、着信を許可するメールアドレスとして登録しておいた相手がメールアドレスを変更した場合には、その相手からのメールを着信できないようになってしまう。着信させるためには、相手がメール以外の何らかの方法で着信側ユーザにメールアドレスを変更したことを連絡しなければならず、また、連絡を受けた着信側ユーザも、サーバに接続して着信を許可する相手のメールアドレスを新しいメールアドレスに変更しなければならないので、送信側ユーザ、着信側ユーザともに非常に手間がかかってしまうという問題点があった。
【０００４】
また、別の従来技術として、メールを着信したときにそのメールアドレスがメール装置のアドレス帳に登録されているか否かを判断し、アドレス帳に登録されていなければそのメールアドレスを、着信拒否を管理するサーバに登録するメール装置及びサーバがある（例えば、特許文献１参照）。
【０００５】
【特許文献１】特開２００３−１９６２１７号公報（第２−３頁、図２）
【発明の開示】
【発明が解決しようとする課題】
【０００６】
特許文献１においては、着信拒否したいメールアドレスをサーバに登録しておき、登録されているメールアドレスからのメール受信を拒否しているので、着信側ユーザが着信許可したいメールアドレスをサーバに登録した後に送信側ユーザがメールアドレスを変更した場合に、送信側ユーザが、変更後のメールアドレスから着信許可を登録しているユーザに対してメールを送信できなくなるという問題点は解決されていない。
【０００７】
この発明は、上記のような問題点を解消するためになされたもので、着信許可アドレスをサーバ側に登録し、登録していないメールを着信させないようにすることで着信拒否を実現していた場合に、送信側ユーザがメールアドレスを変更したとしても、変更後のメールアドレスから着信許可を行っているユーザに対してメールを送信できるようにした着信許可アドレス変更システムを得ることを目的とするものである。
【課題を解決するための手段】
【０００８】
この発明に係る着信許可アドレス変更システムは、メールを送受信する機能を有する複数の通信端末装置と、上記通信端末装置とメールを送受信する機能を有するサーバとを設けたメールアドレス変更システムであって、上記サーバは、第一の上記通信端末装置へのメール送信を許可する第二の上記通信端末装置のメールアドレスを着信許可アドレスとして記憶する記憶部、及びこの記憶部に記憶している上記着信許可アドレスから上記第一の通信端末装置へのメールを受信したときに該第一の通信端末装置へメールを転送し、該記憶部に記憶している着信許可アドレス以外のメールアドレスから上記第一の通信端末装置へのメールを受信したときに該第一の通信端末装置へメールを転送しないよう制御する制御部を備え、この制御部は、上記第二の通信端末装置が新メールアドレスに変更された後の、当該新メールアドレスから上記第一の通信端末装置へのメール受信、及び上記第二の通信端末装置からのメールアドレス変更情報の取得によって、上記記憶部の着信許可アドレスを当該新メールアドレスに書き換える処理を実行するものである。
【発明の効果】
【０００９】
この発明に係る着信許可アドレス変更システムは、第二の通信端末装置が新メールアドレスに変更された後の、当該新メールアドレスから第一の通信端末装置へのメール受信、及び第二の通信端末装置からのメールアドレス変更情報の取得によって、記憶部の着信許可アドレスを当該新メールアドレスに書き換える処理を実行するようにしたので、サーバに記憶している着信許可アドレスの変更を容易に行うことができ、新メールアドレスから第一の通信端末装置へのメールを容易に送信することができる効果がある。
【発明を実施するための最良の形態】
【００１０】
実施の形態１．
図１は実施の形態１に係る着信許可アドレス変更システムの概要を示す図であり、メール機能を有する通信端末装置としての携帯電話機１Ａと携帯電話機１Ｂとは、基地局２及びサーバ３を介してメールを送受信することが可能であり、サーバ３には、携帯電話機１Ａ宛てのメールの着信を許可する着信許可アドレスを登録し、その登録内容に基づいて携帯電話機１Ａへのメールを着信拒否又は許可を制御している。
【００１１】
図２は実施の形態１に係る携帯電話機１のブロック図であり、図３はサーバ３のブロック図である。
図２において、無線部４は、基地局２から無線通信回線５を介して受信した電波信号を携帯電話機１で処理可能な受信信号に変換し、この変換した受信信号を制御部６に受け渡す。制御部６は、携帯電話機１全体の制御を司るものであり、記憶部７のＲＯＭ（Ｒｅａｄ  Ｏｎｌｙ  Ｍｅｍｏｒｙ）に記憶されているプログラム及びデータにしたがって動作する。記憶部７は、ＲＯＭの他に各種のデータを記憶するＲＡＭ（Ｒａｎｄｏｍ  Ａｃｃｅｓｓ  Ｍｅｍｏｒｙ）を有する。
【００１２】
制御部６に受信信号として音声着信信号が入力されると、制御部６は音声着信音をスピーカー（図示せず）から出力し、音声着信中であることを表示部８に表示させる。その後、ユーザが操作部９を操作して着信に応答すると、発信側の通信機器との回線が接続されて通話が可能になる。
ユーザがマイク（図示せず）から通話音声を入力すると、マイクは入力された通話音声を電気信号に変換し、制御部６に受け渡す。制御部６が受け取った電気信号を送信信号に変換し無線部４へ受け渡すと、無線部４は受け取った送信信号を所定の周波数の電波信号に変換し、この変換した電波信号は無線通信回線５を介して基地局２へ送信される。
【００１３】
また、制御部６に受信信号として文字情報、画像情報、又は音情報等を含むメール受信信号が入力されると、制御部６はメール着信音をスピーカーから出力し、メールを受け取ったことを、表示部８に表示させるとともに、受信したメールを記憶部７に格納する。
ユーザが操作部９を操作してメールを閲覧する指示を入力すると、制御部６は、記憶部７からメールを読み出し、表示部８に表示させる。
また、ユーザが操作部９を操作してメールを作成する指示、メールの本文等の文字情報、及び作成したメールを送信する指示を入力すると、制御部６は作成されたメールを送信信号に変換し無線部４へ受け渡す。無線部４は受け取った送信信号を所定の周波数の電波信号に変換し、無線通信回線５を介して送信する。
【００１４】
次に、図３において、通信部１１は、基地局２から通信回線１２を介して受信した信号をサーバ３で処理可能な受信信号に変換し、この変換した受信信号を制御部１３に受け渡す。制御部１３は、サーバ３全体の制御を司るものであり、記憶部１４のＲＯＭに記憶されているプログラム及びデータにしたがって動作する。記憶部１４は、ＲＯＭの他に各種のデータを記憶するＲＡＭを有する。
【００１５】
制御部１３に受信信号としてメール受信信号が入力されると、制御部１３は受信したメールを送信信号に変換し通信部１１へ受け渡す。通信部１１は受け取った送信信号を所定の周波数の電波信号に変換し、通信回線１２を介して送信する。
【００１６】
次に、携帯電話機１Ａ宛てのメールの着信を許可する着信許可アドレスとして携帯電話機１Ｂのメールアドレスをサーバ３に登録した後に、携帯電話機１Ｂのメールアドレスが変更された場合の動作を図４のシーケンス図並びに図５及び図６のフローチャートを用いて説明する。
【００１７】
まず、サーバ３の記憶部１４には、携帯電話機１Ａが携帯電話機１Ｂからのメールを着信するように、携帯電話機１Ｂのメールアドレスを着信許可アドレスとして記憶している。また、サーバ３の記憶部１４には、携帯電話機１Ｂの最新のメールアドレスと携帯電話機１Ｂの識別情報としての暗証番号とが記憶されている。
【００１８】
この状態で、携帯電話機１Ｂのユーザが操作部９を操作して携帯電話機１Ａに対してメールを送信すると、基地局２を介してサーバ３がそのメールを受信する（Ｓ４−１）。サーバ３の制御部１３は、携帯電話機１Ａへのメールに対して携帯電話機１Ｂのメールアドレスが着信許可アドレスとして記憶部１４に記憶されているか判断する（Ｓ４−２）。判断した結果、携帯電話機１Ｂのメールアドレスが着信許可アドレスとして記憶されているので、携帯電話機１Ａに携帯電話機１Ｂからのメールを転送する。
【００１９】
次に、携帯電話機１Ｂのユーザがメールアドレスを変更したとして、携帯電話機１Ｂのユーザが操作部９を操作して携帯電話機１Ａに対してメールを送信すると、基地局２を介してサーバ３がそのメールを受信する（Ｓ４−１）。サーバ３の制御部１３は、携帯電話機１Ａへのメールに対して携帯電話機１Ｂのメールアドレスが着信許可アドレスとして記憶部１４に記憶されているか判断する（Ｓ４−２）。
ここで、判断した結果、携帯電話機１Ｂの新しいメールアドレスは着信許可アドレスとして記憶されていないので、携帯電話機１Ａにそのメールを転送せず、携帯電話機１Ｂへ、送信エラーであることを示すエラーメールを送信する（Ｓ４−３）。このエラーメールには、携帯電話機１Ａへメールアドレスの変更を通知する表記及びメールアドレス変更を要求するために接続するサーバ３の接続情報としてのＵＲＬ（Ｕｎｉｆｏｒｍ  Ｒｅｓｏｕｒｃｅ  Ｌｏｃａｔｏｒ）が含まれている（Ｓ４−４）。
【００２０】
携帯電話機１Ｂのユーザは、このエラーメールを受信することで携帯電話機１Ａへメールアドレスの変更通知が必要であることに気付くことができる。そして、操作部９を操作してエラーメールに含まれているＵＲＬに接続し、携帯電話機１Ｂの変更前メールアドレス、変更後メールアドレス、及び暗証番号等の携帯電話機１Ｂの識別情報、送信を失敗した携帯電話機１Ａのメールアドレスを入力する（Ｓ４−５）。サーバ３は、入力された暗証番号及び変更後メールアドレスと、記憶部１４に記憶している暗証番号及び最新のメールアドレスが一致するか否かを判断し、一致すれば携帯電話機１Ｂからの入力であると判断し、一致しなければ携帯電話機１Ｂからの入力ではないと判断する。
【００２１】
この判断で、携帯電話機１Ｂからの入力であると判断した場合、サーバ３は変更前アドレスの情報を基に携帯電話機１Ａの着信許可アドレスを検索し、一致する着信許可アドレスがあれば携帯電話機１Ａへ携帯電話機１Ｂのメールアドレス変更を通知する通知メールを送信する。
【００２２】
携帯電話機１Ａの無線部４は無線通信回線５を介して通知メールを受信し、制御部６に受け渡すと、制御部６は記憶部７に受信した通知メールを記憶する。この受信した通知メールには、サーバ３の接続手段、携帯電話機１Ｂの変更前メールアドレス及び変更後メールアドレスが含まれている。
携帯電話機１Ａのユーザが、受信した通知メールを表示する指示を操作部９から入力すると、制御部６は記憶部７に記憶した通知メールを読み出す。制御部６が読み出した通知メールを表示部８に表示させると、表示部８には図５のような表示画面が表示される。この通知メールの「はい」の部分には、サーバ３に直接接続するためのアドレス情報がハイパーリンクとして貼られており、ユーザが操作部９を操作して「はい」を選択すると（Ｓ６−１）、制御部６は無線部４及び無線通信回線５を介してサーバ３に着信許可するメールアドレスの書き換えを目的とした接続要求を送信する（Ｓ６−２）。
【００２３】
携帯電話機１Ａがサーバ３に接続されると、サーバ３は携帯電話機１Ａに対して認証確認するために、携帯電話機１Ａに対して認証用データを表示するよう携帯電話機１Ａに要求する（Ｓ７−１）。携帯電話機１Ａの表示部８に表示される画面が認証情報の入力を促す画面に切り替わった後、ユーザが操作部９から認証情報を入力すると（Ｓ６−３）、入力された認証情報がサーバ３へ送信される。
サーバ３の制御部１３は、入力された認証情報を揮発メモリ１５に一次記憶させ、記憶部１４に記憶されている携帯電話機１Ａの識別情報と、揮発メモリ１５に記憶された認証情報とを認証部１６に比較させる（Ｓ７−２）。その結果、記憶部１４の記憶している携帯電話機１Ａの識別情報と携帯電話機１Ａのユーザから入力された認証情報が一致しない場合は、携帯電話機１Ａのユーザに対して再度、認証情報の入力を求めて（Ｓ７−３）、Ｓ７−１へ戻る。
【００２４】
記憶部１４の記憶している携帯電話機１Ａの識別情報と携帯電話機１Ａのユーザから入力された認証情報とが一致した場合、サーバ３は、着信許可の変更内容として、通知メールに含まれていた携帯電話機１Ｂの変更前メールアドレス及び変更後メールアドレスを記憶部１４から読み出して揮発メモリ１５に記憶させ、さらに表示部８に表示させるよう携帯電話機１Ａに要求する（Ｓ７−４）。携帯電話機１Ａのユーザは、表示部８の画面を見て、変更内容が問題ないことを確認し（Ｓ６−４）、操作部９を操作して変更する旨をサーバ３に通知する（Ｓ６−５）。
【００２５】
通知を受けたサーバ３の制御部１３は、その通知が変更しない旨の通知であった場合は処理を終了し、変更する旨の通知であった場合には（Ｓ７−５）、記憶部１４に記憶している携帯電話機１Ａの着信許可アドレスを揮発メモリ１５に記憶した変更後のメールアドレスに書き換える（Ｓ７−６）。
【００２６】
Ｓ６−５でサーバ３への通知が完了すると、携帯電話機１Ａの制御部６は、記憶部７に記憶しているアドレス帳を更新する処理を開始する。制御部６は、表示部８にアドレス帳の変更確認画面を表示させ（Ｓ６−６）、ユーザが操作部９からアドレス帳を変更しないことを指示すると処理を終了する。
ユーザが操作部９から変更することを指示すると、通知メールで受信した携帯電話機１Ｂの変更前アドレスを記憶部７のアドレス帳から検索する（Ｓ６−７）。アドレス帳に変更前アドレスがなければ（Ｓ６−８）、処理を終了する。
アドレス帳に変更前アドレスがあれば（Ｓ６−８）、制御部６は通知された変更後メールアドレスを揮発メモリ１０に一時的に記憶させ、表示部８にメールアドレスの編集画面を変更後メールアドレスとともに表示させる（Ｓ６−９）。携帯電話機１Ａのユーザが操作部９からアドレス帳の登録指示を入力すると、制御部６は揮発メモリ１０に記憶している変更後メールアドレスを、記憶部７に記憶しているアドレス帳の携帯電話機１Ｂのメールアドレスを上書き記憶する（Ｓ６−１０）。
【００２７】
以上のように構成することで、サーバ３に記憶された携帯電話機１Ａが着信許可する携帯電話機１Ｂのメールアドレスが変更されたときに、携帯電話機１Ｂのメールアドレスを手動で変更する必要がなくなり、携帯電話機１Ａのユーザの手間を削減することができる。
【産業上の利用可能性】
【００２８】
上記実施の形態１では、通信端末装置として携帯電話機を用いて説明したが、メール機能を有する通信端末装置であればどのようなものにも適用できる。
【図面の簡単な説明】
【００２９】
【図１】実施の形態１に係る着信許可アドレス変更システムの概要を示す図である。
【図２】実施の形態１に係る携帯電話機１のブロック図である。
【図３】実施の形態１に係るサーバ３のブロック図である。
【図４】実施の形態１に係る着信許可アドレス変更システムの概要を示すシーケンス図である。
【図５】実施の形態１に係るアドレス変更時に表示部に表示される表示画面例を示す図である。
【図６】実施の形態１に係る携帯電話機１の動作を示すフローチャートである。
【図７】実施の形態１に係るサーバ３の動作を示すフローチャートである。
【符号の説明】
【００３０】
１  携帯電話機
２  基地局
３  サーバ
４  無線部
５  無線通信回線
６  制御部
７  記憶部
８  表示部
９  操作部
１０  揮発メモリ
１１  通信部
１２  通信回線
１３  制御部
１４  記憶部
１５  揮発メモリ
１６  認証部
【図１】
2008042530.tif 000003
【図２】
2008042530.tif 000004
【図３】
2008042530.tif 000005
【図４】
2008042530.tif 000006
【図５】
2008042530.tif 000007
【図６】
2008042530.tif 000008
【図７】
2008042530.tif 000009